(57)【要約】  本補聴器は、左右両耳にそれぞれ装着され、装着者に状態変化を知らせる通知音を発生させる補聴器であって、左右の耳にそれぞれ装着される第１の補聴器と第２の補聴器と、を備えている。第1・第２の補聴器は、それぞれが通信部と、操作部と、通知音生成部と、通知音発生遅延部と、を有している。通信部は、第１・第２の補聴器間において通信を行う。操作部は、第１・第２の補聴器の動作状態を変化させる。通知音生成部は、操作部における操作によって第１・第２補聴器の動作状態が変化すると、通知音を生成する。通知音発生遅延部は、通信部を介して受信した遅延時間情報に基づいて、第１の補聴器または第２の補聴器の通知音生成部において生成される通知音の発生タイミングを所定の時間遅延させるように、第２の補聴器または第１の補聴器の通知音生成部を制御する。
2011111304.tif 000002
【特許請求の範囲】
【請求項１】
左右両耳にそれぞれ装着され、装着者に状態変化を知らせる通知音を発生させる補聴器であって、
左右の耳にそれぞれ装着される第１の補聴器と第２の補聴器と、
を備えており、
前記第1・第２の補聴器は、それぞれが、
前記第１・第２の補聴器間において通信を行う通信部と、
前記第１・第２の補聴器の動作状態を変化させる操作部と、
前記操作部における操作によって前記第１・第２補聴器の動作状態が変化すると、前記通知音を生成する通知音生成部と、
前記通信部を介して受信した遅延時間情報に基づいて、前記第１の補聴器または前記第２の補聴器の前記通知音生成部において生成される通知音の発生タイミングを所定の時間遅延させるように、前記第２の補聴器または前記第１の補聴器の前記通知音生成部を制御する通知音発生遅延部と、
を有している、
補聴器。
【請求項２】
前記通知音発生遅延部は、前記第１・第２の補聴器のうち、先に通知音を発生させることが可能な側の通知音の発生を所定の遅延時間が経過するまで待機させ、他方の前記通知音生成部における通知音の発生タイミングと同期するように制御する、
請求項１に記載の補聴器。
【請求項３】
前記通知音発生遅延部は、前記第１・第２の補聴器のうち、先に通知音を発生させた側の通知音の発生が終了後、所定の遅延時間が経過してから遅れて通知音を発生させるように、他方の前記通知音生成部を制御する、
請求項１に記載の補聴器。
【請求項４】
前記通信部は、所定の間隔で定期的に通信を行う、
請求項１から３のいずれか１項に記載の補聴器。
【請求項５】
前記第１の補聴器または前記第２の補聴器は、前記通信部を介して受信した前記第２の補聴器または第１の補聴器からの通知音発生通知信号を受信した後、次の通信タイミングでＡＣＫ信号を返信し、所定の遅延時間経過後に通知音を発生させるとともに、
前記第２の補聴器または第１の補聴器は、前記ＡＣＫ信号を受信した後、所定の遅延時間経過後に通知音を発生させる、
請求項１から４のいずれか１項に記載の補聴器。
【請求項６】
前記操作部は、前記第１・第２の補聴器に設けられたスイッチである、
請求項１から５のいずれか１項に記載の補聴器。
【請求項７】
前記操作部は、前記第１・第２の補聴器に対して有線もしくは無線で接続され、遠隔操作を行うスイッチである、
請求項１から５のいずれか１項に記載の補聴器。
【請求項８】
前記遅延時間情報は、前記第１の補聴器または前記第２の補聴器の前記操作部によって動作状態を変更してから、前記第１の補聴器または前記第２の補聴器の通信部が次の送信までに要する時間に基づいて設定される、
請求項１から７のいずれか１項に記載の補聴器。
【請求項９】
前記遅延時間情報は、前記通信部における通信によって発生する遅延時間に基づいて設定される、
請求項１から７のいずれか１項に記載の補聴器。
【請求項１０】
前記遅延時間情報は、前記第１・第２の補聴器におけるデジタル信号処理に要する時間に基づいて設定される、
請求項１から７のいずれか１項に記載の補聴器。
【請求項１１】
前記遅延時間情報は、前記通信部における通信に要する時間と、前記デジタル信号処理に要する時間とを加算した時間に基づいて設定される、
請求項１から７のいずれか１項に記載の補聴器。
【請求項１２】
前記第１・第２の補聴器は、前記所定の遅延時間を記憶する記憶部を、さらに備えている、
請求項１から１１のいずれか１項に記載の補聴器。
【請求項１３】
前記第１・第２の補聴器は、前記通信部を介して、対応する前記第２・第１の補聴器に前記遅延時間情報を送信する、
請求項１から１２のいずれか１項に記載の補聴器。
【発明の詳細な説明】
【技術分野】
【０００１】
本発明は、左右両耳に装着される補聴器における通知音の制御に関する。
【背景技術】
【０００２】
従来の補聴器は、補聴器の環境に適応したモード（以下、プログラム）を変更した時や、バッテリー残量の低下時等、色々な場合においてユーザに通知音を発して知らせている。【０００３】
このユーザに知らせる内容は複数種類あり、それぞれ異なった音を発生させることでユーザに識別させている。その一例として、通知音の提示時間の間隔や、提示回数などを変えることにより、通知音のバリエーションを増やす技術が知られている（例えば、特許文献１参照）。
【先行技術文献】
【特許文献】
【０００４】
【特許文献１】特開２００９−２５３３４３号公報
【発明の概要】
【０００５】
しかしながら、このように提示回数によって通知音を識別する従来の補聴器では、片耳装用時には問題とならないが、両耳装用時においては、例えば、操作部からの距離が左右の補聴器に差があること等に起因して、左右の補聴器からの通知音発生タイミングがずれてしまうおそれがある。この場合、ユーザには、意図する提示回数より多く通知音が鳴っているように聞こえてしまい、通知音の種類を判別することが難しいという問題がある。
【０００６】
そこで、本発明は、両耳装用時においても、両方の補聴器において生成される通知音の発生タイミングを制御することで、通知音を聞き取りやすくした両耳用補聴器を提供することを目的とする。
【０００７】
本発明に係る補聴器は、左右両耳にそれぞれ装着され、装着者に状態変化を知らせる通知音を発生させる補聴器であって、左右の耳にそれぞれ装着される第１の補聴器と第２の補聴器と、を備えている。そして、第1・第２の補聴器は、それぞれが、通信部と、操作部と、通知音生成部と、通知音発生遅延部と、を有している。通信部は、第１・第２の補聴器間において通信を行う。操作部は、第１・第２の補聴器の動作状態を変化させる。通知音生成部は、操作部における操作によって第１・第２補聴器の動作状態が変化すると、通知音を生成する。通知音発生遅延部は、通信部を介して受信した遅延時間情報に基づいて、第１の補聴器または第２の補聴器の通知音生成部において生成される通知音の発生タイミングを所定の時間遅延させるように、第２の補聴器または第１の補聴器の通知音生成部を制御する。
【０００８】
なお、上記補聴器の状態変化には、例えば、左右一対の補聴器の音量を変える場合や、左右一対の補聴器において最適に補聴処理を行うための音声処理プログラムを切り替える場合等が含まれる。また、上記通知音には、“ピッ”、“ピッピッ”、“ピッピッピッ”等のビープ音（電子音）や、メロディ、人間の音声等の通知音も含まれる。
【０００９】
本発明の補聴器によれば、両耳に装着されたそれぞれの補聴器において生成される通知音の発生タイミングを制御して、例えば、左右の補聴器において生成される通知音が重複しないように通知音の発生タイミングを明らかにずらす、あるいは左右の補聴器において生成される通知音の発生タイミングをずれなく同期させて発生させることで、通知音を聞き取り易くした両耳用の補聴器を提供することができる。
【図面の簡単な説明】
【００１０】
【図１】本発明の一実施形態に係る補聴器の構成を示す概念図。
【図２】図１の補聴器の構成を示すブロック図。
【図３】図２の補聴器に含まれる通知音出力制御部のブロック図。
【図４】図１の補聴器によって送受信されるパケットの構造図。
【図５】通知音が誤認識される場合に関する説明図。
【図６】（ａ）〜（ｅ）は、図１の補聴器による通知音発生タイミングの同期制御の内容を示す説明図。
【図７】本発明の他の実施形態に係る補聴器における通知音の発生タイミングに関する説明図。
【図８】（ａ）〜（ｄ）は、本発明の他の実施形態に係る補聴器において通知音を非同期で発生させる制御の内容を示す説明図。
【図９】（ａ）〜（ｃ）は、本発明の他の実施形態に係る補聴器においてプログラム切替えが行われた状態を示す説明図。
【発明を実施するための形態】
【００１１】
本発明の一実施形態に係る補聴器について、図面を用いて以下で詳細に説明する。
（実施形態１）
図１は、本実施の形態の補聴器の構成を示すものであり、図１は両耳用として使用される左右一対の補聴器であって、右耳用の補聴器（第１の補聴器）１０Ｒと、左耳用の補聴器（第２の補聴器）１０Ｌとが、それぞれ装着された状態を示す概念図である。
【００１２】
補聴器１０Ｌ，１０Ｒは、無線通信３０を介して互いに接続されており、両補聴器１０Ｌ，１０Ｒ間においてお互いのプログラムやボリューム変更等の情報を通信する。また、リモコン２０は、プログラムやボリューム変更等の情報を、両補聴器に対して通信する。
【００１３】
図２は、補聴器１０Ｌ，１０Ｒに共通するブロック図である。
マイクロフォン１０１から入力された周囲音は、アナログ音声信号１２０として出力される。そして、その信号は、Ａ／Ｄ変換器１０２においてデジタル音声信号に変換された後、デジタル音声信号１２１として出力される。さらに、その信号は、補聴処理部１０５において補聴処理を含む各種信号処理が施され、補聴処理後のデジタル音声信号１２２として混合部１０９に出力される。
【００１４】
通知音生成部１０８は、電池切れやプログラム切替え等における装用者に通知する通知音を生成し、通知音信号１３０を混合部１０９に出力する。
【００１５】
混合部１０９は、補聴処理部１０５から出力される補聴処理後のデジタル音声信号１２２と通知音生成部１０８から出力される通知音信号１３０とを混合し、デジタル音声信号１２３としてＤ／Ａ変換器１１０に出力する。
【００１６】
Ｄ／Ａ変換器１１０は、混合部１０９から出力されたデジタル音声信号１２３をアナログ音声データに変換し、アナログ音声信号１２４として出力する。
【００１７】
レシーバ１１１は、アナログ音声信号１２４を空気振動に変換し、装用者が聞き取れる音情報として出力する。
【００１８】
ここで、装用者が補聴器１０Ｌ，１０Ｒのいずれか一方を操作してその補聴器１０Ｌ，１０Ｒの動作を直接切り替える場合と、補聴器１０Ｌ，１０Ｒの一方から他方が通信で受け取った指示に応じて、他方の補聴器の動作を切り替える場合とに分けて説明する。
【００１９】
まず、装用者が、状態を変化させたい補聴器１０Ｌ，１０Ｒを直接操作してその補聴器の動作を切り替える場合について説明する。
【００２０】
補聴処理部１０５には、スイッチ状の構成部材である音量調整操作部（操作部）１０６およびプログラム選択操作部（操作部）１０７が接続されている。これにより、装用者自身によって、音量調整操作部１０６を介して音量調整を行うことができるとともに、プログラム選択操作部１０７を操作することによって、補聴器１０Ｌ，１０Ｒのプログラムを切り替えることができる。
【００２１】
音量調整操作部１０６を操作すると生成される音声調整制御信号１２５や、プログラム選択操作部１０７において生成されるプログラム変更制御信号１２６は、補聴処理部１０５に入力される。そして、ボリュームの設定やプログラムが切り替えられた後、その信号は、通知音出力制御部１０４に出力される。
【００２２】
なお、上記プログラムとは、周囲が静かな所なのか騒がしい所なのかの状況に応じて、最適な補聴処理を行うための音声処理プログラムである。本実施形態では、例えば、プログラムＡ〜プログラムＤまでの４種類のプログラムを有しており、装用者の操作によって切替えられる。
【００２３】
音量調整操作部１０６は、ＵＰとＤＯＷＮのボタンを備えており、ＵＰのボタンが押下されるとボリューム値を加算し、ＤＯＷＮのボタンが押下されるとボリューム値を減算する。具体的には、ボリューム値は−３２ｄＢから０ｄＢまでに設定されており、１回のボリューム操作によって２ｄＢの変更が行われる。
【００２４】
通知音出力制御部１０４は、制御信号１２７や制御信号１２８として入力されたデータに基づいて、通知音が必要なコマンドか否かを判定する。ここで、通知音が必要な場合には、通知音出力制御部１０４は、所定時間経過後に通知音の種類を通知音情報１２９として出力する。
【００２５】
また、通知音出力制御部１０４は、入力された制御信号１２７を、そのまま制御信号１２８として通信部１０３に出力する。そして、通信部１０３は、装用者が直接操作した補聴器１０Ｌ，１０Ｒとは異なる他方の補聴器１０Ｌ，１０Ｒに対して、受信した制御信号１２８を無線制御信号１３１として送信する。
【００２６】
通知音生成部１０８は、通知音情報１２９を受信した後、その通知音の種類に応じた通知音を出力する。
【００２７】
なお、補聴器１０Ｒ，１０Ｌの状態変化を検知した際に通知音を発生させる必要があるか否かについては、例えば、プログラム切替えの場合は通知音を発生させる必要があり、ボリューム切換えの場合は通知音を発生させる必要はない等、製品設計の思想に照らし合わせて決定されていればよい。
【００２８】
次に、例えば、一方の補聴器１０Ｌにおいて、他方の補聴器１０Ｒから無線制御信号１３１を受け取った場合について説明する。なお、ここでは、補聴器１０Ｌが補聴器１０Ｒから無線制御信号１３１を受信する例を挙げて説明するが、補聴器１０Ｌ，１０Ｒは、反対の関係であってもよい。
【００２９】
通信部１０３は、一方の補聴器１０Ｌから受信した無線制御信号１３１を、制御信号１２８として通知音出力制御部１０４に出力する。
【００３０】
通知音出力制御部１０４は、通知音が必要なコマンドか否かを判定した後、通知音が必要な場合には、通知音を発生させるために必要な通知音情報１２９を、通知音生成部１０８に対して出力する。通知音生成部１０８は、通知音情報１２９を受信すると、混合部１０９に対して通知音信号１３０を出力する。
【００３１】
次に、図３を用いて、通知音出力制御部１０４について詳細に説明する。
通知音出力制御部１０４は、通知音発生判断部２００と通知音発生遅延部２０１とを含むように構成されている。
【００３２】
通知音発生判断部２００は、入力された制御信号１２８もしくは制御信号１２７に基づいて、通知音の種類および通知音の発生タイミングを認識する。
【００３３】
通知音発生遅延部２０１は、制御信号１２８もしくは制御信号１２７に含まれる遅延時間情報に基づいて所定の時間が経過するまで、通知音情報１２９を遅延させて出力する。本実施形態では、この通知音発生タイミングを制御することにより、左右の補聴器１０Ｌ，１０Ｒにおいて生成される通知音が、互いに重なって出力されないようにずらして（非同期で）出力することができる。なお、この通知音を遅延させて出力する制御については、後段にて詳述する。
【００３４】
次に、図５を用いて、左右の補聴器１０Ｌ，１０Ｒから出力される通知音のタイミングについて説明する。
【００３５】
ここでは、出力される通知音の一例として、上述したプログラムＡ〜Ｄを切り替えることにより、プログラムＡでは“ピッ”（１回）、プログラムＢでは“ピッピッ”（２回）、プログラムＣでは“ピッピッピッ”（３回）、プログラムＤでは“ピッピッピッピッ”（４回）の通知音（ビープ音）が出力されるように切り替えられるものとする。
【００３６】
例えば、選択されたプログラムがプログラムＢに切り替えられて２回の通知音を、左右の補聴器１０Ｌ，１０Ｒにおいてそれぞれ発生させる場合には、図５に示すように、それぞれの補聴器１０Ｌ，１０Ｒにおける通知音の発生タイミングがずれてしまう場合がある。このとき、左右の補聴器１０Ｌ，１０Ｒにおいて交互に通知音が出力されると、装用者には４回の通知音が左右の耳から混ざって聞こえるため、４回の通知音を発するプログラムＤに切り替わったと誤認識されるおそれがある。
【００３７】
なお、左右の補聴器１０Ｌ，１０Ｒにおいて通知音の発生タイミングがずれる原因としては、リモコン２０を操作して補聴器１０Ｌ，１０Ｒにコマンドを送信した場合において、左右の連携のために、送信中の補聴器がリモコンから送られたコマンドを受け取れないケースが考えられる。この時、コマンドを受け取った補聴器から、他方の補聴器にコマンドを再送するが、この際にはタイミングのずれが発生する。また。片側の補聴器を操作した場合には、リモコン操作と同様にコマンドを受信できなかった場合や、補聴器１０Ｌ，１０Ｒ間において、一方から他方にコマンドを送信するために必要な送信時間によるタイミングのずれや、コマンドを受け取ってから通知音を発生させるまでの各補聴器固有の処理速度の差等が生じた場合に、タイミングのずれが発生するものと考えられる。よって、補聴器１０Ｌ，１０Ｒの一方から他方に通知音発生を通知し、それを受け取った側の補聴器において通知音を発生させるまでに時間を要することから、左右の補聴器１０Ｌ，１０Ｒ間において通知音の遅延が発生してしまう。
【００３８】
本実施形態の補聴器１０Ｌ，１０Ｒでは、このような問題を解決するために、図６（ａ）〜図６（ｅ）に示すように、左右両耳に装着される補聴器１０Ｌ，１０Ｒの装用者が通知音を聞き取りやすくするための制御として、補聴器１０Ｌ，１０Ｒから発せられる通知音を完全に同期させるように、通知音の発生タイミングを制御する。これにより、左右の補聴器１０Ｌ，１０Ｒ間において、時間的に完全に同期させた通知音を発生させることができるため、装用者は明確に通知音の種類を識別することができる。
【００３９】
以下で、図６（ａ）〜図６（ｅ）を用いて通知音発生タイミングの同期制御について、詳しく説明する。
【００４０】
図６（ａ）では、無線通信を行う補聴器１０Ｌ，１０Ｒの基本動作について説明する。
補聴器１０Ｒと補聴器１０Ｌとは、交互に４０ｍｓ間隔での定期的な送信を実施している。補聴器１０Ｌ，１０Ｒ間における定期的な通信は、通信相手となる補聴器が通信圏内に存在しているかどうかの確認、通信相手となる補聴器に対する制御信号や各種パラメータ等の送信、という２つの目的がある。
【００４１】
図６（ｂ）、図６（ｃ）、図６（ｄ）は、プログラム切替えを行った際に生成される通知音の発生タイミングについて、同期を取るための制御の一例を示している。
【００４２】
まず、図６（ｂ）に示すように、装用者によってプログラム選択操作部１０７を介してプログラム切替えが行われた補聴器１０Ｒは、すぐに通知音を発生させることが可能な状態であるが、その直後には通知音の発生は行わず、次の定期的な通信を行うタイミングで通知音を発生させる。
【００４３】
ここで、補聴器１０Ｒから相手側の補聴器１０Ｌに通知音を鳴らす旨を通知するためには、４０ｍｓ間隔の定期的な通信を利用する必要がある。このため、補聴器１０Ｒ側においてプログラムの切替えと同時に通知音を鳴らしてしまうと、相手側の補聴器１０Ｌとの間において通知音を鳴らすタイミングが最大４０ｍｓずれてしまう。よって、本実施形態では、このような通知音の発生タイミングのずれを防止するために、先に通知音を生成させることが可能な補聴器１０Ｒ側において、通知音の発生を遅らせるように制御を行う。
【００４４】
具体的には、通知音発生遅延部２０１は、プログラム選択操作部１０７を介してプログラム切替えの操作がなされたときから、次の送信タイミングまでの残りの時間だけ遅延させて通知音生成部１０８に通知することで、通知音を遅れて発生させる。
【００４５】
これにより、相手側の補聴器１０Ｌに通知音を発生させるためのタイミングを合わせるように制御することができる。
【００４６】
なお、補聴器１０Ｒ，１０Ｌ間において定期的な通信を行わない補聴器の場合には、次の送信タイミングまでの時間は考慮せず、プログラム切替えが行われると同時に、相手側の補聴器１０Ｌに通知することができるが、後述のように、通信にかかる時間およびデジタル信号処理（ＤＳＰ（Digital Signal Processor））の処理時間を考慮して、通知音の発生タイミングを制御すればよい。
【００４７】
次に、補聴器１０Ｌ，１０Ｒ間における通知音の発生タイミングのズレが生じる要因の１つとして、実際に通信を行っている時間、つまり通信速度を例に挙げて説明する。
【００４８】
通信速度に関しては、高速通信や低速通信など、どの速度での通信を採用するかは設計事項であるが、コストや省電力の観点から低速な通信が用いられることが多々ある。低速な通信を用いた場合には、通信時間が通知音発生の同期に支障をきたすおそれがある。通信速度とは、１秒間にデータを転送する能力を示し、その能力が高いほど通信速度が速く、その能力が低いと通信速度が遅いと表現される。また、同じ通信速度であっても、通信データ量が多いもの、つまりパケットサイズの大きなものは、１パケットの通信に時間がかかるため、速度が遅い通信に含まれる。
【００４９】
ここで、一方の補聴器１０Ｒの通信開始から他方の補聴器１０Ｌの受信完了までの時間をΔｔｒとすると、補聴器１０Ｒは、図６（ｃ）に示すように、切替えられたプログラム情報を補聴器１０Ｌに通知した後、Δｔｒ時間経過後に通知音を発生させる。一方、補聴器１０Ｌは、その通知を受け取ったタイミングで、補聴器１０Ｒと同時に通知音を発生させる。
【００５０】
つまり、補聴器１０Ｒ側の通知音発生遅延部２０１では、プログラム選択操作部１０７を介してプログラム切替えの操作がなされたときから、次の送信タイミングまでの残りの時間にΔｔｒを加算した時間を遅延時間として設定し、これを通知音生成部１０８に通知することで、通常よりも遅れて通知音を発生させる。これにより、補聴器１０Ｌ，１０Ｒにおいて、通知音の発生タイミングを同期させることができる。
【００５１】
次に、補聴器１０Ｌ，１０Ｒ間における通知音発生のズレが生じる２つ目の要因として、ＤＳＰの演算処理などの動作速度を例に挙げて説明する。
【００５２】
上述した通信速度と同様に、低コストや低消費電力を考えると、補聴器１０Ｌ，１０Ｒには、処理速度の遅いＤＳＰが用いられることが多い。このため、通知音の発生タイミングを同期させる制御では、このＤＳＰの処理速度も考慮する必要がある。
【００５３】
図６（ｄ）に示すように、ＤＳＰの処理速度（処理時間）をΔｓｒとすると、送信側の補聴器１０Ｒの通知音出力制御部１０４は、プログラム選択操作部１０７を介して操作がなされたときから、次の送信タイミングまでの残りの時間とΔｔｒ＋Δｓｒの時間とを加算した時間の経過後に通知音を発生させる。補聴器１０Ｌは、通知音発生通知を受け取った後は、必然的にΔｓｒ時間経過後に通知音を発生させることになる。この結果、補聴器１０Ｌ，１０Ｒにおいて、通知音発生タイミングの同期を取ることができる。
【００５４】
図６（ｅ）は、補聴器１０Ｒが送信した情報を、補聴器１０Ｌが確実に受け取ったことを確認した上で通知音を鳴らす場合の一例である。
【００５５】
補聴器１０Ｒは、装用者によってプログラム選択操作部１０７を介してプログラム切替えが行われると、切替えられたプログラム情報と遅延時間情報（時間Δｔｒ）とを、補聴器１０Ｌに通知する。
【００５６】
補聴器１０Ｌは、その通知を受信すると、次の送信タイミングにおいて、補聴器１０Ｒに対してＡｃｋ信号を返信する同時に、Δｔｒ時間経過後に通知音を発生させる。補聴器１０Ｒは、Ａｃｋ信号を受け取ったタイミングで通知音を発生させる。
【００５７】
なお、図６（ｅ）には図示していないが、補聴器１０Ｌ，１０Ｒに搭載されているＤＳＰの処理能力によっては、図６（ｄ）に示すように、Δｓｒを考慮した遅延時間にすることが望ましい。
【００５８】
これにより、送信相手である補聴器１０Ｌが補聴器１０Ｒから送信された情報を確実に受信したことを確認した上で、補聴器１０Ｌ，１０Ｒから同時に通知音を発生させることができる。
【００５９】
なお、遅延時間Δｓｒは、両耳に装着される補聴器１０Ｌ，１０Ｒが同じ機能を有するモデルであれば、設計時に確定されるため、予め補聴器１０Ｌ，１０Ｒの本体内に記憶させておくことができる。一方、例えば、片耳が重度難聴者用の補聴器、他方が軽度難聴者用補聴器等のように、左右の耳に違う機能を有するモデルを使用する場合には、それぞれの補聴器に搭載されているＤＳＰが異なることや、アルゴリズムの違い等により、左右の補聴器間において遅延時間Δｓｒに差がある場合がある。このような場合には、遅延時間Δｓｒに関する情報を、通信部１０３を介して、通信パケットを通じて通知し合うことで、左右の補聴器間において遅延時間情報を共有すればよい。
【００６０】
ここで、本実施形態の補聴器１０Ｌ，１０Ｒによって送受信される通信パケットについて、図４を用いて説明する。
【００６１】
パケットは、主として、コマンドの種類を識別するコマンド領域と、パラメータが入っているパラメータ領域、通知音の発生タイミングを指定する遅延時間領域に分けられる。
【００６２】
コマンド領域には、プログラムの変更や出力音のボリューム値の変更、電池残量警告等のコマンドの種類が数値で格納されている。また、コマンド領域には、そのコマンドに対するパラメータ、例えば、プログラム変更であれば、プログラムＡからプログラムＤのいずれか１つが格納されており、ボリューム変更であれば、−３２ｄＢ〜０ｄＢの数値のいずれかが格納されている。遅延時間領域には、上述の遅延時間情報が格納されている。
【００６３】
なお、左右の補聴器１０Ｌ，１０Ｒ間において定期的な通信を行わない場合には、上述した次の送信タイミングまでの時間は考慮せず、プログラム切替えが行われると同時に、相手側の補聴器に通知すればよい。
【００６４】
これにより、一方の補聴器１０Ｒは、相手側の補聴器１０Ｌの処理能力を知ることができるため、適切な遅延時間を設定して通知音を同時に発生させることができる。
【００６５】
次に、リモコン２０を用いて補聴器１０Ｌ，１０Ｒを遠隔操作する場合について説明する（図２参照）。
【００６６】
通常、リモコン２０の操作によって、補聴器１０Ｌ，１０Ｒの双方の動作が切り替わるが、まれに補聴器１０Ｌ，１０Ｒのそれぞれの受信状態に影響され、片方の補聴器にしか無線制御信号３０５が届かない場合がある。このような場合には、片方の補聴器だけ動作が切り替わるという問題が発生してしまう。
【００６７】
本実施形態では、そのような問題を解決するために、補聴器１０Ｌ，１０Ｒがリモコン２０から無線制御信号３０５を受信したときに、図６（ｅ）に示すように、お互いに通知音発生通知を行い、補聴器１０Ｌ，１０Ｒ間で互いに無線制御信号３０５を受信した旨の情報（Ａｃｋ信号）を交換した上で通知音を発生させるように制御すればよい。
【００６８】
以上のように、本実施形態の補聴器１０Ｌ，１０Ｒによれば、両耳装用時においても、補聴器１０Ｌ，１０Ｒにおいて通知音の発生タイミングを制御して、補聴器１０Ｌ，１０Ｒから同時に通知音を発生させることができる。この結果、装用者は、通知音の種類を正確に判別して誤認識することなく、正確に聞き取ることができる。
【００６９】
（実施形態２）
本発明の他の実施形態に係る補聴器について、図７〜図９（ｃ）を用いて説明すれば以下の通りである。
【００７０】
本実施形態では、左右両耳に装着される補聴器１０Ｌ，１０Ｒの装用者が、通知音を聞き取りやすくするための制御として、補聴器１０Ｌ，１０Ｒから発せられる別々の通知音を識別できる程度に完全にずらして発生させる非同期制御を実施している点において、上記実施形態１の制御とは異なる。
【００７１】
なお、本実施形態において、上記実施形態１と同じ機能を持つ構成については、同じ符号を付し、その説明を省略する。
【００７２】
本実施形態の補聴器１０Ｌ，１０Ｒでは、このような問題を解決するために、図７に示すように、補聴器１０Ｌ，１０Ｒのうち、先に出力される側の通知音の発生終了後、所定時間経過後に、遅れて生成される側の通知音を発生させるように通知音の発生タイミングを制御する。これにより、左右の補聴器１０Ｌ，１０Ｒ間において、時間的に完全に分離した通知音を発生させることができるため、装用者は明確に通知音の種類を識別することができる。
【００７３】
次に、図８（ａ）〜図８（ｄ）を用いて、通知音発生タイミングの非同期方法について説明する。
【００７４】
まず、図８（ａ）を用いて、左右の補聴器１０Ｌ，１０Ｒ間において無線通信を行う場合の基本動作について説明する。
【００７５】
本実施形態では、補聴器１０Ｒと補聴器１０Ｌとが、交互に４０ｍｓ間隔で定期的に送信を実施している。補聴器１０Ｌ，１０Ｒ間における定期的な通信は、通信相手となる補聴器が通信圏内に存在しているかどうかの確認、通信相手となる補聴器に対する制御信号や各種パラメータ等の送信、という２つの目的がある。
【００７６】
図８（ｂ）および図８（ｃ）は、プログラム切替えを行った際に生成される通知音を、非同期で互いにずらして発生させるための制御の一例を示している。
【００７７】
まず、図８（ｂ）に示すように、装用者によりプログラム切替えが行われた補聴器１０Ｒは、その直後に通知音を発生させる。そして、補聴器１０Ｒは、次の定期的な通信を行うタイミングで、補聴器１０Ｌに対して、通知音発生通知としての切替えられたプログラム情報と遅延時間情報とを送信する。なお、この通知音発生通知には、後述する通信パケットの中に、補聴器１０Ｌが設定変更を行うためのプログラム情報と、通知音発生タイミングを指示する遅延時間情報とを含むものとする。
【００７８】
ここで、本実施形態においても、上記実施形態１と同様に、補聴器１０Ｌ，１０Ｒによって送受信される通信パケットとして、図４に示す通信パケットを用いている。
【００７９】
この通信パケットに格納する遅延時間は、補聴器１０Ｌに通知音を発生させるためのタイミングであって、補聴器１０Ｒにおける通知音発生が終了するまでの時間である。通知音発生期間は、１回の通知音発生時間１６０ｍｓ、その後の非発生時間１６０ｍｓを１セットとし、この１セット３２０ｍｓが１回の通知音発生期間とされる。例えば、プログラムＢへの切替えの通知音であった場合には、プログラムＢでは２回の通知音を発生させるので、２セット分である６４０ｍｓの時間が必要である。この遅延時間を補聴器１０Ｌに通知することで、補聴器１０Ｒの通知音発生終了後に、補聴器１０Ｌの通知音発生が開始される。この結果、左右の補聴器１０Ｌ，１０Ｒから、それぞれの通知音が重なることなく、完全に分離させた状態で発生させることができる。
【００８０】
図８（ｃ）は、補聴器１０Ｒが送信した通知音発生通知を、補聴器１０Ｌにおいて確実に受け取ったことを確認する処理の一例である。これは、通知音発生通知が届かない場合も考えられるので、そのような場合に備え、何回か通知音発生通知をリトライするものである。
【００８１】
装用者によってプログラム切替えが行われた補聴器１０Ｒは、切り替えられたプログラム情報と、遅延時間情報とを補聴器１０Ｌに通知する。補聴器１０Ｌは、その通知を受信すると、次の送信タイミングにおいて、Ａｃｋ信号を返信するとともに、受信した遅延時間情報に基づく遅延時間が経過した後、通知音を発生させる。
【００８２】
ここで、左右の補聴器１０Ｌ，１０Ｒ間における通信状態が悪く、補聴器１０Ｌが通知音発生通知を受け取れない場合は、補聴器１０ＬはＡｃｋ信号を返信することができない。補聴器１０Ｒは、Ａｃｋ信号が帰ってこない場合は、再度、補聴器１０Ｌに通知音発生通知を送信する。
【００８３】
このとき、補聴器１０Ｒが設定する遅延時間は、通知音発生通知を再送したために通知が遅れた分を調整する必要がある。この場合には、最初の通知音発生通知で通信に失敗しており、２回目の通知音発生通知で成功しているので、最初の通知から２回目の通知まで８０ｍｓだけ遅れている。よって、補聴器１０Ｌへ通知する遅延時間は、その時間を差し引いた５６０ｍｓに再設定される。
【００８４】
これにより、他方の補聴器１０Ｌが確実に受信したことを確認した上で、両補聴器１０Ｌ，１０Ｒにおいて出力される通知音の発生タイミングが重ならないように、明らかにずらすことができる。
【００８５】
なお、本実施形態では、補聴器１０Ｒは、装用者によるプログラム切替えが行われてすぐに通知音を発生させているが、補聴器１０ＬからのＡｃｋ信号を受け取ったタイミングで通知音を発生させるように制御してもよい。
【００８６】
次に、リモコン２０を用いて補聴器１０Ｌ，１０Ｒを遠隔操作する場合について説明する。
【００８７】
図２に示すように、リモコン２０は、補聴器１０Ｌ，１０Ｒと通信する通信部３０１と、リモコン２０の機能を制御する制御部３０２と、補聴器１０Ｌ，１０Ｒの音量を調整する音量調整操作部３０３と、プログラムを切替えるためのプログラム選択操作部３０４と、を備えている。なお、音量調整操作部３０３およびプログラム選択操作部３０４は、スイッチ上の構成部材として、リモコン２０に設けられている。
【００８８】
例えば、リモコン２０を用いて補聴器１０Ｌ，１０Ｒの音量を変更する場合には、音量調整操作部３０３を操作することにより、音量調整制御信号３１０が、制御部３０２および通信部３０１を経由して、無線制御信号３０５として補聴器１０Ｌ，１０Ｒに送信される。プログラムを切り替える場合も同様に、プログラム変更制御信号３１１が、プログラム選択操作部３０４から制御部３０２および通信部３０１を経由して、無線制御信号３０５として補聴器１０Ｌ，１０Ｒに送信される。
【００８９】
通常、リモコン２０の操作によって、補聴器１０Ｌ，１０Ｒの双方の動作が切り替わるが、ここで両補聴器１０Ｌ，１０Ｒが同時に通知音を発生させると、上述したように、通信エラーや処理速度等の要因により、左右の補聴器１０Ｌ，１０Ｒからの通知音発生がずれてしまうおそれがある。
【００９０】
本実施形態では、この問題を解決するために、４０ｍｓ毎の定期的な通信において、両補聴器１０Ｌ，１０Ｒ間において交互に通信を行うことを利用する。この交互に通信を行うとは、上述したように、補聴器１０Ｒから補聴器１０Ｌへ、その後、補聴器１０Ｌから補聴器１０Ｒへ、と通信方向が交互に切り替わることを意味している。
【００９１】
そこで、図８（ｄ）に示すように、両補聴器１０Ｌ，１０Ｒがリモコン２０から通知音発生通知を受信すると、その次の送信タイミングにおいて、補聴器１０Ｌ，１０Ｒのうち、送信可能な側から相手側に対して通知音発生通知を行う。
【００９２】
なお、図８（ｄ）では、リモコン２０から通知音発生通知を受信した後は、補聴器１０Ｒから補聴器１０Ｌへの通信が最初となる。このため、補聴器１０Ｒは、そのタイミングで通知音の発生を開始するとともに、補聴器１０Ｌに通知音発生通知を行う。通知音発生通知を受け取った補聴器１０Ｌは、指定された遅延時間後に通知音を発生させる。これにより、両補聴器１０Ｌ，１０Ｒ間において、通知音を発生させるタイミングを明らかにずらすことができる。
【００９３】
図９（ａ）は、補聴器１０Ｒにおいて、プログラムＢに切替えが行われた状態を示している。
【００９４】
装用者によってプログラム切替えが行われた補聴器１０Ｒは、通知音を発生させた後、６４０ｍｓ後の通知音発生が完了したタイミングで、補聴器１０Ｌに通知音発生通知を行う。補聴器１０Ｌは、通知音発生通知を受信後、通知音を発生させる。
【００９５】
この方法によれば、補聴器１０Ｒの通知音発生完了をトリガーとして、補聴器１０Ｌに切替え通知を行っている。このため、遅延時間を相手側の補聴器１０Ｌに通知する必要が無く、より簡易に本制御を実施することができる。
【００９６】
図９（ｂ）および図９（ｃ）は、通知音発生通知を受け取った後、Ａｃｋ信号を返信する流れを示している。
【００９７】
図９（ｂ）に示すように、通知音発生通知を受け取った補聴器１０Ｌは、次の通信タイミングでＡｃｋ信号を返信し、補聴器１０Ｒに対して無事に信号を受け取ったことを通知する。これにより、補聴器１０Ｒは、正常に通知音発生通知を送信できたことを確認して、その後の動作を終了する。
【００９８】
図９（ｃ）は、補聴器１０Ｒが送信した通知音発生通知が、何らかの要因で補聴器１０Ｌに届かなかった場合の処理を示している。
【００９９】
この場合、補聴器１０Ｌは、通知音発生通知が受け取れなかったためにＡｃｋ信号を返信することができない。そこで、Ａｃｋ信号が返信されない補聴器１０Ｒにおいて、再度、通知音発生通知を行う。これにより、より確実に、相手側の補聴器１０Ｌに通知音発生通知を送信することができる。
【０１００】
以上のように、本実施形態の補聴器１０Ｌ，１０Ｒによれば、左右両耳に装着される補聴器であっても、両補聴器１０Ｌ，１０Ｒからの通知音の発生タイミングを制御し、それぞれの補聴器１０Ｌ，１０Ｒから出力される通知音の発生タイミングを明らかにずらすことで、装用者にとって通知音を聞き取り易くすることができる。
【０１０１】
（他の実施形態）
（Ａ）
上記実施形態１，２では、通知音として、選択されたプログラムに応じて“ピッ”、“ピッピッ”等のようなビープ音（電子音）を用いた例を挙げて説明した。しかし、本発明はこれに限定されるものではない。
【０１０２】
例えば、上述した通知音以外にも、メロディや人間の音声等を通知音として用いてもよい。
【０１０３】
（Ｂ）
上記実施形態では、補聴器１０Ｌ，１０Ｒの状態変化として、補聴器本体やリモコン２０を介して、プログラム切替えや音量の切替えがあった場合を例として挙げて説明した。しかし、本発明はこれに限定されるものではない。
【０１０４】
例えば、周囲環境に応じて自動的に切替えが行われる場合や、補聴器に関する他の状態変化を検知して、上述した制御を実施してもよい。
【産業上の利用可能性】
【０１０５】
本発明に係る補聴器は、両補聴器からの通知音の発生タイミングを制御し、通知音を聞き取りやすくすることができるという効果を奏することから、両耳用の補聴器として広く活用が期待される。
【符号の説明】
【０１０６】
１０Ｌ    補聴器（第２の補聴器）
１０Ｒ    補聴器（第１の補聴器）
２０      リモコン
３０      無線通信
１０１      マイクロフォン
１０２      Ａ／Ｄ変換器
１０３      通信部
１０４      通知音出力制御部
１０５      補聴処理部
１０６      音量調整操作部（操作部）
１０７      プログラム選択操作部（操作部）
１０８      通知音生成部
１０９      混合部
１１０      Ｄ／Ａ変換器
１１１      レシーバ
１２０，１２４  アナログ音声信号
１２１，１２２，１２３  デジタル音声信号
１２５      音量調整制御信号
１２６      プログラム変更制御信号
１２７，１２８  制御信号
１２９      通知音情報
１３０      通知音信号
１３１      無線制御信号
２００      通知音発生判断部
２０１      通知音発生遅延部
３０１      通信部
３０２      制御部
３０３      音量調整操作部（操作部）
３０４      プログラム選択操作部（操作部）
３０５      無線制御信号
３１０      音量調整制御信号
３１１      プログラム変更制御信号
【図１】
2011111304.tif 000003
【図２】
2011111304.tif 000004
【図３】
2011111304.tif 000005
【図４】
2011111304.tif 000006
【図５】
2011111304.tif 000007
【図６】
2011111304.tif 000008
【図７】
2011111304.tif 000009
【図８】
2011111304.tif 000010
【図９】
2011111304.tif 000011
【手続補正書】
【提出日】平成23年8月19日(2011.8.19)
【手続補正１】
【補正対象書類名】明細書
【補正対象項目名】全文
【補正方法】変更
【補正の内容】
【発明の詳細な説明】
【技術分野】
【０００１】
本発明は、左右両耳に装着される補聴器における通知音の制御に関する。
【背景技術】
【０００２】
従来の補聴器は、補聴器の環境に適応したモード（以下、プログラム）を変更した時や、バッテリー残量の低下時等、色々な場合においてユーザに通知音を発して知らせている。
【０００３】
このユーザに知らせる内容は複数種類あり、それぞれ異なった音を発生させることでユーザに識別させている。その一例として、通知音の提示時間の間隔や、提示回数などを変えることにより、通知音のバリエーションを増やす技術が知られている（例えば、特許文献１参照）。
【先行技術文献】
【特許文献】
【０００４】
【特許文献１】特開２００９−２５３３４３号公報
【発明の概要】
【０００５】
しかしながら、このように提示回数によって通知音を識別する従来の補聴器では、片耳装用時には問題とならないが、両耳装用時においては、例えば、操作部からの距離が左右の補聴器に差があること等に起因して、左右の補聴器からの通知音発生タイミングがずれてしまうおそれがある。この場合、ユーザには、意図する提示回数より多く通知音が鳴っているように聞こえてしまい、通知音の種類を判別することが難しいという問題がある。
【０００６】
そこで、本発明は、両耳装用時においても、両方の補聴器において生成される通知音の発生タイミングを制御することで、通知音を聞き取りやすくした両耳用補聴器を提供することを目的とする。
【０００７】
本発明に係る補聴器は、左右両耳にそれぞれ装着され、装着者に状態変化を知らせる通知音を発生させる補聴器であって、左右の耳にそれぞれ装着される第１の補聴器と第２の補聴器と、を備えている。そして、第1・第２の補聴器は、それぞれが、通信部と、操作部と、通知音生成部と、通知音発生遅延部と、を有している。通信部は、第１・第２の補聴器間において通信を行う。操作部は、第１・第２の補聴器の動作状態を変化させる。通知音生成部は、操作部における操作によって第１・第２補聴器の動作状態が変化すると、通知音を生成する。通知音発生遅延部は、通信部を介して受信した遅延時間情報に基づいて、第１の補聴器または第２の補聴器の通知音生成部において生成される通知音の発生タイミングを所定の時間遅延させるように、第２の補聴器または第１の補聴器の通知音生成部を制御する。
【０００８】
なお、上記補聴器の状態変化には、例えば、左右一対の補聴器の音量を変える場合や、左右一対の補聴器において最適に補聴処理を行うための音声処理プログラムを切り替える場合等が含まれる。また、上記通知音には、“ピッ”、“ピッピッ”、“ピッピッピッ”等のビープ音（電子音）や、メロディ、人間の音声等の通知音も含まれる。
【０００９】
本発明の補聴器によれば、両耳に装着されたそれぞれの補聴器において生成される通知音の発生タイミングを制御して、例えば、左右の補聴器において生成される通知音が重複しないように通知音の発生タイミングを明らかにずらす、あるいは左右の補聴器において生成される通知音の発生タイミングをずれなく同期させて発生させることで、通知音を聞き取り易くした両耳用の補聴器を提供することができる。
【図面の簡単な説明】
【００１０】
【図１】本発明の一実施形態に係る補聴器の構成を示す概念図。
【図２】図１の補聴器の構成を示すブロック図。
【図３】図２の補聴器に含まれる通知音出力制御部のブロック図。
【図４】図１の補聴器によって送受信されるパケットの構造図。
【図５】通知音が誤認識される場合に関する説明図。
【図６】（ａ）〜（ｅ）は、図１の補聴器による通知音発生タイミングの同期制御の内容を示す説明図。
【図７】本発明の他の実施形態に係る補聴器における通知音の発生タイミングに関する説明図。
【図８】（ａ）〜（ｄ）は、本発明の他の実施形態に係る補聴器において通知音を非同期で発生させる制御の内容を示す説明図。
【図９】（ａ）〜（ｃ）は、本発明の他の実施形態に係る補聴器においてプログラム切替えが行われた状態を示す説明図。
【発明を実施するための形態】
【００１１】
本発明の一実施形態に係る補聴器について、図面を用いて以下で詳細に説明する。
【００１２】
（実施形態１）
図１は、本実施の形態の補聴器の構成を示すものであり、図１は両耳用として使用される左右一対の補聴器であって、右耳用の補聴器（第１の補聴器）１０Ｒと、左耳用の補聴器（第２の補聴器）１０Ｌとが、それぞれ装着された状態を示す概念図である。
【００１３】
補聴器１０Ｌ，１０Ｒは、無線通信３０を介して互いに接続されており、両補聴器１０Ｌ，１０Ｒ間においてお互いのプログラムやボリューム変更等の情報を通信する。また、リモコン２０は、プログラムやボリューム変更等の情報を、両補聴器に対して通信する。
【００１４】
図２は、補聴器１０Ｌ，１０Ｒに共通するブロック図である。
マイクロフォン１０１から入力された周囲音は、アナログ音声信号１２０として出力される。そして、その信号は、Ａ／Ｄ変換器１０２においてデジタル音声信号に変換された後、デジタル音声信号１２１として出力される。さらに、その信号は、補聴処理部１０５において補聴処理を含む各種信号処理が施され、補聴処理後のデジタル音声信号１２２として混合部１０９に出力される。
【００１５】
通知音生成部１０８は、電池切れやプログラム切替え等における装用者に通知する通知音を生成し、通知音信号１３０を混合部１０９に出力する。
混合部１０９は、補聴処理部１０５から出力される補聴処理後のデジタル音声信号１２２と通知音生成部１０８から出力される通知音信号１３０とを混合し、デジタル音声信号１２３としてＤ／Ａ変換器１１０に出力する。
【００１６】
Ｄ／Ａ変換器１１０は、混合部１０９から出力されたデジタル音声信号１２３をアナログ音声データに変換し、アナログ音声信号１２４として出力する。
レシーバ１１１は、アナログ音声信号１２４を空気振動に変換し、装用者が聞き取れる音情報として出力する。
【００１７】
ここで、装用者が補聴器１０Ｌ，１０Ｒのいずれか一方を操作してその補聴器１０Ｌ，１０Ｒの動作を直接切り替える場合と、補聴器１０Ｌ，１０Ｒの一方から他方が通信で受け取った指示に応じて、他方の補聴器の動作を切り替える場合とに分けて説明する。
【００１８】
まず、装用者が、状態を変化させたい補聴器１０Ｌ，１０Ｒを直接操作してその補聴器の動作を切り替える場合について説明する。
補聴処理部１０５には、スイッチ状の構成部材である音量調整操作部（操作部）１０６およびプログラム選択操作部（操作部）１０７が接続されている。これにより、装用者自身によって、音量調整操作部１０６を介して音量調整を行うことができるとともに、プログラム選択操作部１０７を操作することによって、補聴器１０Ｌ，１０Ｒのプログラムを切り替えることができる。
【００１９】
音量調整操作部１０６を操作すると生成される音声調整制御信号１２５や、プログラム選択操作部１０７において生成されるプログラム変更制御信号１２６は、補聴処理部１０５に入力される。そして、ボリュームの設定やプログラムが切り替えられた後、その信号は、通知音出力制御部１０４に出力される。
【００２０】
なお、上記プログラムとは、周囲が静かな所なのか騒がしい所なのかの状況に応じて、最適な補聴処理を行うための音声処理プログラムである。本実施形態では、例えば、プログラムＡ〜プログラムＤまでの４種類のプログラムを有しており、装用者の操作によって切替えられる。
【００２１】
音量調整操作部１０６は、ＵＰとＤＯＷＮのボタンを備えており、ＵＰのボタンが押下されるとボリューム値を加算し、ＤＯＷＮのボタンが押下されるとボリューム値を減算する。具体的には、ボリューム値は−３２ｄＢから０ｄＢまでに設定されており、１回のボリューム操作によって２ｄＢの変更が行われる。
【００２２】
通知音出力制御部１０４は、制御信号１２７や制御信号１２８として入力されたデータに基づいて、通知音が必要なコマンドか否かを判定する。ここで、通知音が必要な場合には、通知音出力制御部１０４は、所定時間経過後に通知音の種類を通知音情報１２９として出力する。
【００２３】
また、通知音出力制御部１０４は、入力された制御信号１２７を、そのまま制御信号１２８として通信部１０３に出力する。そして、通信部１０３は、装用者が直接操作した補聴器１０Ｌ，１０Ｒとは異なる他方の補聴器１０Ｌ，１０Ｒに対して、受信した制御信号１２８を無線制御信号１３１として送信する。
【００２４】
通知音生成部１０８は、通知音情報１２９を受信した後、その通知音の種類に応じた通知音を出力する。
なお、補聴器１０Ｒ，１０Ｌの状態変化を検知した際に通知音を発生させる必要があるか否かについては、例えば、プログラム切替えの場合は通知音を発生させる必要があり、ボリューム切換えの場合は通知音を発生させる必要はない等、製品設計の思想に照らし合わせて決定されていればよい。
【００２５】
次に、例えば、一方の補聴器１０Ｌにおいて、他方の補聴器１０Ｒから無線制御信号１３１を受け取った場合について説明する。なお、ここでは、補聴器１０Ｌが補聴器１０Ｒから無線制御信号１３１を受信する例を挙げて説明するが、補聴器１０Ｌ，１０Ｒは、反対の関係であってもよい。
【００２６】
通信部１０３は、一方の補聴器１０Ｌから受信した無線制御信号１３１を、制御信号１２８として通知音出力制御部１０４に出力する。
通知音出力制御部１０４は、通知音が必要なコマンドか否かを判定した後、通知音が必要な場合には、通知音を発生させるために必要な通知音情報１２９を、通知音生成部１０８に対して出力する。通知音生成部１０８は、通知音情報１２９を受信すると、混合部１０９に対して通知音信号１３０を出力する。
【００２７】
次に、図３を用いて、通知音出力制御部１０４について詳細に説明する。
通知音出力制御部１０４は、通知音発生判断部２００と通知音発生遅延部２０１とを含むように構成されている。
【００２８】
通知音発生判断部２００は、入力された制御信号１２８もしくは制御信号１２７に基づいて、通知音の種類および通知音の発生タイミングを認識する。
通知音発生遅延部２０１は、制御信号１２８もしくは制御信号１２７に含まれる遅延時間情報に基づいて所定の時間が経過するまで、通知音情報１２９を遅延させて出力する。本実施形態では、この通知音発生タイミングを制御することにより、左右の補聴器１０Ｌ，１０Ｒにおいて生成される通知音が、互いに重なって出力されないようにずらして（非同期で）出力することができる。なお、この通知音を遅延させて出力する制御については、後段にて詳述する。
【００２９】
次に、図５を用いて、左右の補聴器１０Ｌ，１０Ｒから出力される通知音のタイミングについて説明する。
ここでは、出力される通知音の一例として、上述したプログラムＡ〜Ｄを切り替えることにより、プログラムＡでは“ピッ”（１回）、プログラムＢでは“ピッピッ”（２回）、プログラムＣでは“ピッピッピッ”（３回）、プログラムＤでは“ピッピッピッピッ”（４回）の通知音（ビープ音）が出力されるように切り替えられるものとする。
【００３０】
例えば、選択されたプログラムがプログラムＢに切り替えられて２回の通知音を、左右の補聴器１０Ｌ，１０Ｒにおいてそれぞれ発生させる場合には、図５に示すように、それぞれの補聴器１０Ｌ，１０Ｒにおける通知音の発生タイミングがずれてしまう場合がある。このとき、左右の補聴器１０Ｌ，１０Ｒにおいて交互に通知音が出力されると、装用者には４回の通知音が左右の耳から混ざって聞こえるため、４回の通知音を発するプログラムＤに切り替わったと誤認識されるおそれがある。
【００３１】
なお、左右の補聴器１０Ｌ，１０Ｒにおいて通知音の発生タイミングがずれる原因としては、リモコン２０を操作して補聴器１０Ｌ，１０Ｒにコマンドを送信した場合において、左右の連携のために、送信中の補聴器がリモコンから送られたコマンドを受け取れないケースが考えられる。この時、コマンドを受け取った補聴器から、他方の補聴器にコマンドを再送するが、この際にはタイミングのずれが発生する。また。片側の補聴器を操作した場合には、リモコン操作と同様にコマンドを受信できなかった場合や、補聴器１０Ｌ，１０Ｒ間において、一方から他方にコマンドを送信するために必要な送信時間によるタイミングのずれや、コマンドを受け取ってから通知音を発生させるまでの各補聴器固有の処理速度の差等が生じた場合に、タイミングのずれが発生するものと考えられる。よって、補聴器１０Ｌ，１０Ｒの一方から他方に通知音発生を通知し、それを受け取った側の補聴器において通知音を発生させるまでに時間を要することから、左右の補聴器１０Ｌ，１０Ｒ間において通知音の遅延が発生してしまう。
【００３２】
本実施形態の補聴器１０Ｌ，１０Ｒでは、このような問題を解決するために、図６（ａ）〜図６（ｅ）に示すように、左右両耳に装着される補聴器１０Ｌ，１０Ｒの装用者が通知音を聞き取りやすくするための制御として、補聴器１０Ｌ，１０Ｒから発せられる通知音を完全に同期させるように、通知音の発生タイミングを制御する。これにより、左右の補聴器１０Ｌ，１０Ｒ間において、時間的に完全に同期させた通知音を発生させることができるため、装用者は明確に通知音の種類を識別することができる。
【００３３】
以下で、図６（ａ）〜図６（ｅ）を用いて通知音発生タイミングの同期制御について、詳しく説明する。
【００３４】
図６（ａ）では、無線通信を行う補聴器１０Ｌ，１０Ｒの基本動作について説明する。
【００３５】
補聴器１０Ｒと補聴器１０Ｌとは、交互に４０ｍｓ間隔での定期的な送信を実施している。補聴器１０Ｌ，１０Ｒ間における定期的な通信は、通信相手となる補聴器が通信圏内に存在しているかどうかの確認、通信相手となる補聴器に対する制御信号や各種パラメータ等の送信、という２つの目的がある。
【００３６】
図６（ｂ）、図６（ｃ）、図６（ｄ）は、プログラム切替えを行った際に生成される通知音の発生タイミングについて、同期を取るための制御の一例を示している。
まず、図６（ｂ）に示すように、装用者によってプログラム選択操作部１０７を介してプログラム切替えが行われた補聴器１０Ｒは、すぐに通知音を発生させることが可能な状態であるが、その直後には通知音の発生は行わず、次の定期的な通信を行うタイミングで通知音を発生させる。
【００３７】
ここで、補聴器１０Ｒから相手側の補聴器１０Ｌに通知音を鳴らす旨を通知するためには、４０ｍｓ間隔の定期的な通信を利用する必要がある。このため、補聴器１０Ｒ側においてプログラムの切替えと同時に通知音を鳴らしてしまうと、相手側の補聴器１０Ｌとの間において通知音を鳴らすタイミングが最大４０ｍｓずれてしまう。よって、本実施形態では、このような通知音の発生タイミングのずれを防止するために、先に通知音を生成させることが可能な補聴器１０Ｒ側において、通知音の発生を遅らせるように制御を行う。
【００３８】
具体的には、通知音発生遅延部２０１は、プログラム選択操作部１０７を介してプログラム切替えの操作がなされたときから、次の送信タイミングまでの残りの時間だけ遅延させて通知音生成部１０８に通知することで、通知音を遅れて発生させる。
【００３９】
これにより、相手側の補聴器１０Ｌに通知音を発生させるためのタイミングを合わせるように制御することができる。
なお、補聴器１０Ｒ，１０Ｌ間において定期的な通信を行わない補聴器の場合には、次の送信タイミングまでの時間は考慮せず、プログラム切替えが行われると同時に、相手側の補聴器１０Ｌに通知することができるが、後述のように、通信にかかる時間およびデジタル信号処理（ＤＳＰ（Digital Signal Processor））の処理時間を考慮して、通知音の発生タイミングを制御すればよい。
【００４０】
次に、補聴器１０Ｌ，１０Ｒ間における通知音の発生タイミングのズレが生じる要因の１つとして、実際に通信を行っている時間、つまり通信速度を例に挙げて説明する。
通信速度に関しては、高速通信や低速通信など、どの速度での通信を採用するかは設計事項であるが、コストや省電力の観点から低速な通信が用いられることが多々ある。低速な通信を用いた場合には、通信時間が通知音発生の同期に支障をきたすおそれがある。通信速度とは、１秒間にデータを転送する能力を示し、その能力が高いほど通信速度が速く、その能力が低いと通信速度が遅いと表現される。また、同じ通信速度であっても、通信データ量が多いもの、つまりパケットサイズの大きなものは、１パケットの通信に時間がかかるため、速度が遅い通信に含まれる。
【００４１】
ここで、一方の補聴器１０Ｒの通信開始から他方の補聴器１０Ｌの受信完了までの時間をΔｔｒとすると、補聴器１０Ｒは、図６（ｃ）に示すように、切替えられたプログラム情報を補聴器１０Ｌに通知した後、Δｔｒ時間経過後に通知音を発生させる。一方、補聴器１０Ｌは、その通知を受け取ったタイミングで、補聴器１０Ｒと同時に通知音を発生させる。
【００４２】
つまり、補聴器１０Ｒ側の通知音発生遅延部２０１では、プログラム選択操作部１０７を介してプログラム切替えの操作がなされたときから、次の送信タイミングまでの残りの時間にΔｔｒを加算した時間を遅延時間として設定し、これを通知音生成部１０８に通知することで、通常よりも遅れて通知音を発生させる。これにより、補聴器１０Ｌ，１０Ｒにおいて、通知音の発生タイミングを同期させることができる。
【００４３】
次に、補聴器１０Ｌ，１０Ｒ間における通知音発生のズレが生じる２つ目の要因として、ＤＳＰの演算処理などの動作速度を例に挙げて説明する。
上述した通信速度と同様に、低コストや低消費電力を考えると、補聴器１０Ｌ，１０Ｒには、処理速度の遅いＤＳＰが用いられることが多い。このため、通知音の発生タイミングを同期させる制御では、このＤＳＰの処理速度も考慮する必要がある。
【００４４】
図６（ｄ）に示すように、ＤＳＰの処理速度（処理時間）をΔｓｒとすると、送信側の補聴器１０Ｒの通知音出力制御部１０４は、プログラム選択操作部１０７を介して操作がなされたときから、次の送信タイミングまでの残りの時間とΔｔｒ＋Δｓｒの時間とを加算した時間の経過後に通知音を発生させる。補聴器１０Ｌは、通知音発生通知を受け取った後は、必然的にΔｓｒ時間経過後に通知音を発生させることになる。この結果、補聴器１０Ｌ，１０Ｒにおいて、通知音発生タイミングの同期を取ることができる。
【００４５】
図６（ｅ）は、補聴器１０Ｒが送信した情報を、補聴器１０Ｌが確実に受け取ったことを確認した上で通知音を鳴らす場合の一例である。
補聴器１０Ｒは、装用者によってプログラム選択操作部１０７を介してプログラム切替えが行われると、切替えられたプログラム情報と遅延時間情報（時間Δｔｒ）とを、補聴器１０Ｌに通知する。
【００４６】
補聴器１０Ｌは、その通知を受信すると、次の送信タイミングにおいて、補聴器１０Ｒに対してＡｃｋ信号を返信する同時に、Δｔｒ時間経過後に通知音を発生させる。補聴器１０Ｒは、Ａｃｋ信号を受け取ったタイミングで通知音を発生させる。
【００４７】
なお、図６（ｅ）には図示していないが、補聴器１０Ｌ，１０Ｒに搭載されているＤＳＰの処理能力によっては、図６（ｄ）に示すように、Δｓｒを考慮した遅延時間にすることが望ましい。
【００４８】
これにより、送信相手である補聴器１０Ｌが補聴器１０Ｒから送信された情報を確実に受信したことを確認した上で、補聴器１０Ｌ，１０Ｒから同時に通知音を発生させることができる。
【００４９】
なお、遅延時間Δｓｒは、両耳に装着される補聴器１０Ｌ，１０Ｒが同じ機能を有するモデルであれば、設計時に確定されるため、予め補聴器１０Ｌ，１０Ｒの本体内に記憶させておくことができる。一方、例えば、片耳が重度難聴者用の補聴器、他方が軽度難聴者用補聴器等のように、左右の耳に違う機能を有するモデルを使用する場合には、それぞれの補聴器に搭載されているＤＳＰが異なることや、アルゴリズムの違い等により、左右の補聴器間において遅延時間Δｓｒに差がある場合がある。このような場合には、遅延時間Δｓｒに関する情報を、通信部１０３を介して、通信パケットを通じて通知し合うことで、左右の補聴器間において遅延時間情報を共有すればよい。
【００５０】
ここで、本実施形態の補聴器１０Ｌ，１０Ｒによって送受信される通信パケットについて、図４を用いて説明する。
パケットは、主として、コマンドの種類を識別するコマンド領域と、パラメータが入っているパラメータ領域、通知音の発生タイミングを指定する遅延時間領域に分けられる。
【００５１】
コマンド領域には、プログラムの変更や出力音のボリューム値の変更、電池残量警告等のコマンドの種類が数値で格納されている。また、コマンド領域には、そのコマンドに対するパラメータ、例えば、プログラム変更であれば、プログラムＡからプログラムＤのいずれか１つが格納されており、ボリューム変更であれば、−３２ｄＢ〜０ｄＢの数値のいずれかが格納されている。遅延時間領域には、上述の遅延時間情報が格納されている。
【００５２】
なお、左右の補聴器１０Ｌ，１０Ｒ間において定期的な通信を行わない場合には、上述した次の送信タイミングまでの時間は考慮せず、プログラム切替えが行われると同時に、相手側の補聴器に通知すればよい。
【００５３】
これにより、一方の補聴器１０Ｒは、相手側の補聴器１０Ｌの処理能力を知ることができるため、適切な遅延時間を設定して通知音を同時に発生させることができる。
次に、リモコン２０を用いて補聴器１０Ｌ，１０Ｒを遠隔操作する場合について説明する（図２参照）。
【００５４】
通常、リモコン２０の操作によって、補聴器１０Ｌ，１０Ｒの双方の動作が切り替わるが、まれに補聴器１０Ｌ，１０Ｒのそれぞれの受信状態に影響され、片方の補聴器にしか無線制御信号３０５が届かない場合がある。このような場合には、片方の補聴器だけ動作が切り替わるという問題が発生してしまう。
【００５５】
本実施形態では、そのような問題を解決するために、補聴器１０Ｌ，１０Ｒがリモコン２０から無線制御信号３０５を受信したときに、図６（ｅ）に示すように、お互いに通知音発生通知を行い、補聴器１０Ｌ，１０Ｒ間で互いに無線制御信号３０５を受信した旨の情報（Ａｃｋ信号）を交換した上で通知音を発生させるように制御すればよい。
【００５６】
以上のように、本実施形態の補聴器１０Ｌ，１０Ｒによれば、両耳装用時においても、補聴器１０Ｌ，１０Ｒにおいて通知音の発生タイミングを制御して、補聴器１０Ｌ，１０Ｒから同時に通知音を発生させることができる。この結果、装用者は、通知音の種類を正確に判別して誤認識することなく、正確に聞き取ることができる。
【００５７】
（実施形態２）
本発明の他の実施形態に係る補聴器について、図７〜図９（ｃ）を用いて説明すれば以下の通りである。
【００５８】
本実施形態では、左右両耳に装着される補聴器１０Ｌ，１０Ｒの装用者が、通知音を聞き取りやすくするための制御として、補聴器１０Ｌ，１０Ｒから発せられる別々の通知音を識別できる程度に完全にずらして発生させる非同期制御を実施している点において、上記実施形態１の制御とは異なる。
【００５９】
なお、本実施形態において、上記実施形態１と同じ機能を持つ構成については、同じ符号を付し、その説明を省略する。
本実施形態の補聴器１０Ｌ，１０Ｒでは、このような問題を解決するために、図７に示すように、補聴器１０Ｌ，１０Ｒのうち、先に出力される側の通知音の発生終了後、所定時間経過後に、遅れて生成される側の通知音を発生させるように通知音の発生タイミングを制御する。これにより、左右の補聴器１０Ｌ，１０Ｒ間において、時間的に完全に分離した通知音を発生させることができるため、装用者は明確に通知音の種類を識別することができる。
【００６０】
次に、図８（ａ）〜図８（ｄ）を用いて、通知音発生タイミングの非同期方法について説明する。
【００６１】
まず、図８（ａ）を用いて、左右の補聴器１０Ｌ，１０Ｒ間において無線通信を行う場合の基本動作について説明する。
【００６２】
本実施形態では、補聴器１０Ｒと補聴器１０Ｌとが、交互に４０ｍｓ間隔で定期的に送信を実施している。補聴器１０Ｌ，１０Ｒ間における定期的な通信は、通信相手となる補聴器が通信圏内に存在しているかどうかの確認、通信相手となる補聴器に対する制御信号や各種パラメータ等の送信、という２つの目的がある。
【００６３】
図８（ｂ）および図８（ｃ）は、プログラム切替えを行った際に生成される通知音を、非同期で互いにずらして発生させるための制御の一例を示している。
まず、図８（ｂ）に示すように、装用者によりプログラム切替えが行われた補聴器１０Ｒは、その直後に通知音を発生させる。そして、補聴器１０Ｒは、次の定期的な通信を行うタイミングで、補聴器１０Ｌに対して、通知音発生通知としての切替えられたプログラム情報と遅延時間情報とを送信する。なお、この通知音発生通知には、後述する通信パケットの中に、補聴器１０Ｌが設定変更を行うためのプログラム情報と、通知音発生タイミングを指示する遅延時間情報とを含むものとする。
【００６４】
ここで、本実施形態においても、上記実施形態１と同様に、補聴器１０Ｌ，１０Ｒによって送受信される通信パケットとして、図４に示す通信パケットを用いている。
この通信パケットに格納する遅延時間は、補聴器１０Ｌに通知音を発生させるためのタイミングであって、補聴器１０Ｒにおける通知音発生が終了するまでの時間である。通知音発生期間は、１回の通知音発生時間１６０ｍｓ、その後の非発生時間１６０ｍｓを１セットとし、この１セット３２０ｍｓが１回の通知音発生期間とされる。例えば、プログラムＢへの切替えの通知音であった場合には、プログラムＢでは２回の通知音を発生させるので、２セット分である６４０ｍｓの時間が必要である。この遅延時間を補聴器１０Ｌに通知することで、補聴器１０Ｒの通知音発生終了後に、補聴器１０Ｌの通知音発生が開始される。この結果、左右の補聴器１０Ｌ，１０Ｒから、それぞれの通知音が重なることなく、完全に分離させた状態で発生させることができる。
【００６５】
図８（ｃ）は、補聴器１０Ｒが送信した通知音発生通知を、補聴器１０Ｌにおいて確実に受け取ったことを確認する処理の一例である。これは、通知音発生通知が届かない場合も考えられるので、そのような場合に備え、何回か通知音発生通知をリトライするものである。
【００６６】
装用者によってプログラム切替えが行われた補聴器１０Ｒは、切り替えられたプログラム情報と、遅延時間情報とを補聴器１０Ｌに通知する。補聴器１０Ｌは、その通知を受信すると、次の送信タイミングにおいて、Ａｃｋ信号を返信するとともに、受信した遅延時間情報に基づく遅延時間が経過した後、通知音を発生させる。
【００６７】
ここで、左右の補聴器１０Ｌ，１０Ｒ間における通信状態が悪く、補聴器１０Ｌが通知音発生通知を受け取れない場合は、補聴器１０ＬはＡｃｋ信号を返信することができない。補聴器１０Ｒは、Ａｃｋ信号が帰ってこない場合は、再度、補聴器１０Ｌに通知音発生通知を送信する。
【００６８】
このとき、補聴器１０Ｒが設定する遅延時間は、通知音発生通知を再送したために通知が遅れた分を調整する必要がある。この場合には、最初の通知音発生通知で通信に失敗しており、２回目の通知音発生通知で成功しているので、最初の通知から２回目の通知まで８０ｍｓだけ遅れている。よって、補聴器１０Ｌへ通知する遅延時間は、その時間を差し引いた５６０ｍｓに再設定される。
【００６９】
これにより、他方の補聴器１０Ｌが確実に受信したことを確認した上で、両補聴器１０Ｌ，１０Ｒにおいて出力される通知音の発生タイミングが重ならないように、明らかにずらすことができる。
【００７０】
なお、本実施形態では、補聴器１０Ｒは、装用者によるプログラム切替えが行われてすぐに通知音を発生させているが、補聴器１０ＬからのＡｃｋ信号を受け取ったタイミングで通知音を発生させるように制御してもよい。
【００７１】
次に、リモコン２０を用いて補聴器１０Ｌ，１０Ｒを遠隔操作する場合について説明する。
【００７２】
図２に示すように、リモコン２０は、補聴器１０Ｌ，１０Ｒと通信する通信部３０１と、リモコン２０の機能を制御する制御部３０２と、補聴器１０Ｌ，１０Ｒの音量を調整する音量調整操作部３０３と、プログラムを切替えるためのプログラム選択操作部３０４と、を備えている。なお、音量調整操作部３０３およびプログラム選択操作部３０４は、スイッチ上の構成部材として、リモコン２０に設けられている。
【００７３】
例えば、リモコン２０を用いて補聴器１０Ｌ，１０Ｒの音量を変更する場合には、音量調整操作部３０３を操作することにより、音量調整制御信号３１０が、制御部３０２および通信部３０１を経由して、無線制御信号３０５として補聴器１０Ｌ，１０Ｒに送信される。プログラムを切り替える場合も同様に、プログラム変更制御信号３１１が、プログラム選択操作部３０４から制御部３０２および通信部３０１を経由して、無線制御信号３０５として補聴器１０Ｌ，１０Ｒに送信される。
【００７４】
通常、リモコン２０の操作によって、補聴器１０Ｌ，１０Ｒの双方の動作が切り替わるが、ここで両補聴器１０Ｌ，１０Ｒが同時に通知音を発生させると、上述したように、通信エラーや処理速度等の要因により、左右の補聴器１０Ｌ，１０Ｒからの通知音発生がずれてしまうおそれがある。
【００７５】
本実施形態では、この問題を解決するために、４０ｍｓ毎の定期的な通信において、両補聴器１０Ｌ，１０Ｒ間において交互に通信を行うことを利用する。この交互に通信を行うとは、上述したように、補聴器１０Ｒから補聴器１０Ｌへ、その後、補聴器１０Ｌから補聴器１０Ｒへ、と通信方向が交互に切り替わることを意味している。
【００７６】
そこで、図８（ｄ）に示すように、両補聴器１０Ｌ，１０Ｒがリモコン２０から通知音発生通知を受信すると、その次の送信タイミングにおいて、補聴器１０Ｌ，１０Ｒのうち、送信可能な側から相手側に対して通知音発生通知を行う。
【００７７】
なお、図８（ｄ）では、リモコン２０から通知音発生通知を受信した後は、補聴器１０Ｒから補聴器１０Ｌへの通信が最初となる。このため、補聴器１０Ｒは、そのタイミングで通知音の発生を開始するとともに、補聴器１０Ｌに通知音発生通知を行う。通知音発生通知を受け取った補聴器１０Ｌは、指定された遅延時間後に通知音を発生させる。これにより、両補聴器１０Ｌ，１０Ｒ間において、通知音を発生させるタイミングを明らかにずらすことができる。
【００７８】
図９（ａ）は、補聴器１０Ｒにおいて、プログラムＢに切替えが行われた状態を示している。
装用者によってプログラム切替えが行われた補聴器１０Ｒは、通知音を発生させた後、６４０ｍｓ後の通知音発生が完了したタイミングで、補聴器１０Ｌに通知音発生通知を行う。補聴器１０Ｌは、通知音発生通知を受信後、通知音を発生させる。
【００７９】
この方法によれば、補聴器１０Ｒの通知音発生完了をトリガーとして、補聴器１０Ｌに切替え通知を行っている。このため、遅延時間を相手側の補聴器１０Ｌに通知する必要が無く、より簡易に本制御を実施することができる。
【００８０】
図９（ｂ）および図９（ｃ）は、通知音発生通知を受け取った後、Ａｃｋ信号を返信する流れを示している。
図９（ｂ）に示すように、通知音発生通知を受け取った補聴器１０Ｌは、次の通信タイミングでＡｃｋ信号を返信し、補聴器１０Ｒに対して無事に信号を受け取ったことを通知する。これにより、補聴器１０Ｒは、正常に通知音発生通知を送信できたことを確認して、その後の動作を終了する。
【００８１】
図９（ｃ）は、補聴器１０Ｒが送信した通知音発生通知が、何らかの要因で補聴器１０Ｌに届かなかった場合の処理を示している。
この場合、補聴器１０Ｌは、通知音発生通知が受け取れなかったためにＡｃｋ信号を返信することができない。そこで、Ａｃｋ信号が返信されない補聴器１０Ｒにおいて、再度、通知音発生通知を行う。これにより、より確実に、相手側の補聴器１０Ｌに通知音発生通知を送信することができる。
【００８２】
以上のように、本実施形態の補聴器１０Ｌ，１０Ｒによれば、左右両耳に装着される補聴器であっても、両補聴器１０Ｌ，１０Ｒからの通知音の発生タイミングを制御し、それぞれの補聴器１０Ｌ，１０Ｒから出力される通知音の発生タイミングを明らかにずらすことで、装用者にとって通知音を聞き取り易くすることができる。
【００８３】
（他の実施形態）
（Ａ）
上記実施形態１，２では、通知音として、選択されたプログラムに応じて“ピッ”、“ピッピッ”等のようなビープ音（電子音）を用いた例を挙げて説明した。しかし、本発明はこれに限定されるものではない。
【００８４】
例えば、上述した通知音以外にも、メロディや人間の音声等を通知音として用いてもよい。
【００８５】
（Ｂ）
上記実施形態では、補聴器１０Ｌ，１０Ｒの状態変化として、補聴器本体やリモコン２０を介して、プログラム切替えや音量の切替えがあった場合を例として挙げて説明した。しかし、本発明はこれに限定されるものではない。
【００８６】
例えば、周囲環境に応じて自動的に切替えが行われる場合や、補聴器に関する他の状態変化を検知して、上述した制御を実施してもよい。
【産業上の利用可能性】
【００８７】
本発明に係る補聴器は、両補聴器からの通知音の発生タイミングを制御し、通知音を聞き取りやすくすることができるという効果を奏することから、両耳用の補聴器として広く活用が期待される。
【符号の説明】
【００８８】
１０Ｌ    補聴器（第２の補聴器）
１０Ｒ    補聴器（第１の補聴器）
２０      リモコン
３０      無線通信
１０１      マイクロフォン
１０２      Ａ／Ｄ変換器
１０３      通信部
１０４      通知音出力制御部
１０５      補聴処理部
１０６      音量調整操作部（操作部）
１０７      プログラム選択操作部（操作部）
１０８      通知音生成部
１０９      混合部
１１０      Ｄ／Ａ変換器
１１１      レシーバ
１２０，１２４  アナログ音声信号
１２１，１２２，１２３  デジタル音声信号
１２５      音量調整制御信号
１２６      プログラム変更制御信号
１２７，１２８  制御信号
１２９      通知音情報
１３０      通知音信号
１３１      無線制御信号
２００      通知音発生判断部
２０１      通知音発生遅延部
３０１      通信部
３０２      制御部
３０３      音量調整操作部（操作部）
３０４      プログラム選択操作部（操作部）
３０５      無線制御信号
３１０      音量調整制御信号
３１１      プログラム変更制御信号
【手続補正２】
【補正対象書類名】特許請求の範囲
【補正対象項目名】全文
【補正方法】変更
【補正の内容】
【特許請求の範囲】
【請求項１】
左右両耳にそれぞれ装着され、装着者に状態変化を知らせる通知音を発生させる補聴器であって、
左右の耳にそれぞれ装着される第１の補聴器と第２の補聴器と、
を備えており、
前記第1・第２の補聴器は、それぞれが、
前記第１・第２の補聴器間において通信を行う通信部と、
前記第１・第２の補聴器の動作状態を変化させる操作部と、
前記操作部における操作によって前記第１・第２補聴器の動作状態が変化すると、前記通知音を生成する通知音生成部と、
前記通信部を介して受信した遅延時間情報に基づいて、前記第１の補聴器または前記第２の補聴器の前記通知音生成部において生成される通知音の発生タイミングを所定の時間遅延させるように、前記第２の補聴器または前記第１の補聴器の前記通知音生成部を制御する通知音発生遅延部と、
を有している、
補聴器。
【請求項２】
前記通知音発生遅延部は、前記第１・第２の補聴器のうち、先に通知音を発生させることが可能な側の通知音の発生を所定の遅延時間が経過するまで待機させ、他方の前記通知音生成部における通知音の発生タイミングと同期するように制御する、
請求項１に記載の補聴器。
【請求項３】
前記通知音発生遅延部は、前記第１・第２の補聴器のうち、先に通知音を発生させた側の通知音の発生が終了後、所定の遅延時間が経過してから遅れて通知音を発生させるように、他方の前記通知音生成部を制御する、
請求項１に記載の補聴器。
【請求項４】
前記通信部は、所定の間隔で定期的に通信を行う、
請求項１から３のいずれか１項に記載の補聴器。
【請求項５】
前記第１の補聴器または前記第２の補聴器は、前記通信部を介して受信した前記第２の補聴器または第１の補聴器からの通知音発生通知信号を受信した後、次の通信タイミングでＡＣＫ信号を返信し、所定の遅延時間経過後に通知音を発生させるとともに、
前記第２の補聴器または第１の補聴器は、前記ＡＣＫ信号を受信した後、所定の遅延時間経過後に通知音を発生させる、
請求項１から４のいずれか１項に記載の補聴器。
【請求項６】
前記操作部は、前記第１・第２の補聴器に設けられたスイッチである、
請求項１から５のいずれか１項に記載の補聴器。
【請求項７】
前記操作部は、前記第１・第２の補聴器に対して有線もしくは無線で接続され、遠隔操作を行うスイッチである、
請求項１から５のいずれか１項に記載の補聴器。
【請求項８】
前記遅延時間情報は、前記第１の補聴器または前記第２の補聴器の前記操作部によって動作状態を変更してから、前記第１の補聴器または前記第２の補聴器の通信部が次の送信までに要する時間に基づいて設定される、
請求項１から７のいずれか１項に記載の補聴器。
【請求項９】
前記遅延時間情報は、前記通信部における通信によって発生する遅延時間に基づいて設定される、
請求項１から７のいずれか１項に記載の補聴器。
【請求項１０】
前記遅延時間情報は、前記第１・第２の補聴器におけるデジタル信号処理に要する時間に基づいて設定される、
請求項１から７のいずれか１項に記載の補聴器。
【請求項１１】
前記遅延時間情報は、前記通信部における通信に要する時間と、前記デジタル信号処理に要する時間とを加算した時間に基づいて設定される、
請求項１から７のいずれか１項に記載の補聴器。
【請求項１２】
前記第１・第２の補聴器は、前記所定の遅延時間を記憶する記憶部を、さらに備えている、
請求項１から１１のいずれか１項に記載の補聴器。
【請求項１３】
前記第１・第２の補聴器は、前記通信部を介して、対応する前記第２・第１の補聴器に前記遅延時間情報を送信する、
請求項１から１２のいずれか１項に記載の補聴器。
【手続補正３】
【補正対象書類名】図面
【補正対象項目名】全図
【補正方法】変更
【補正の内容】
【図１】
2011111304.tif 000012
【図２】
2011111304.tif 000013
【図３】
2011111304.tif 000014
【図４】
2011111304.tif 000015
【図５】
2011111304.tif 000016
【図６】
2011111304.tif 000017
【図７】
2011111304.tif 000018
【図８】
2011111304.tif 000019
【図９】
2011111304.tif 000020
【国際調査報告】
2011111304.tif 000021
2011111304.tif 000022